(57)【要約】【課題】蓋紙を剥がすとハンバーグが食べやすくなる包装紙を提供する。【解決手段】紙材１に蓋紙３を貼付した包装紙であって、蓋紙は紙材の中央に位置して紙材の開口部２よりも周縁部が大形であって周縁部個所に剥離可能な粘着剤を塗工してあるため一端部をつまむと蓋紙を紙材より簡単に剥がすことができて開口部にハンバーグが現われる。【選択図】図２
0003179100.tif 000002
【実用新案登録請求の範囲】
【請求項１】
紙材にハンバーグを載せ、包装後紙材に貼付した蓋紙を剥がすと開口部にハンバーグが現われるためそのまま食べられる構成とした包装紙であって、紙材の前後部及び左右を折り畳むとハンバーグが包み込まれ、前記蓋紙は紙材の中央に位置して紙材の開口部よりも周縁部が大形であって周縁部個所に蓋紙を剥離可能とした粘着剤が塗工され、一端部をつまむと蓋紙を紙材より剥がすことができることを特徴とするハンバーグ用包装紙。
【考案の詳細な説明】
【技術分野】
【０００１】  本考案はハンバーグを食べやすく包むハンバーグ用包装紙に関する。
【背景技術】
【０００２】  店頭販売されているハンバーグは箱入りのものは別として簡単な包装紙に包まれており、食べる際には包装紙の端部をつまんで大きく開き、そこに顔を入れるようにして食べるのがしばしば見かけられる光景であり、したがって食べやすいとは言えないのが現状といえる。ハンバーグは円盤状のものであり例えば食べるときには包装紙の下面に片手をあてがい、片方の手でハンバーグを掴めばよいが、その手が汚れているとじかに掴むことには躊躇を覚えるものであり、またハンバーグ自体食材に油分を含んでいることが多く、直接その部分に手が触れると手にも油が付着して感触が悪いといった問題がある。また包装紙を開くときに卓上などに置いた場合は両手が使えるためその作業もスムーズにできるが、片手で開こうとすると包装紙の開け方が悪いときはハンバーグが床に落下するといったことも起こりうる。そこで所定の形状を備えた包装紙の一部にカットテープを設けて開口可能とした包装袋も見受けられる（例えば特許文献１参照）。
【先行技術文献】
【特許文献】
【０００３】
【特許文献１】実開平７−４３４９号公報
【考案の概要】
【考案が解決しようとする課題】
【０００４】  特許文献１には、サンドイッチ、ハンバーグ、ホットドッグ等を収納し簡単に開封して食べることができる食べ物用包装袋が開示されている。この製品は袋体に縦方向又は横方向に引き裂く開封部が設けてあるので食べ物を包装且つ密封された状態でもって収納物に合わせて袋体を開封させることができ、また袋体を開封引き裂くのにカットテープを使用しているため開封部を片手でもって引っ張るだけで袋体の中央部をまっすぐに引き裂くことができる等の効果が所期されることを謳っている。この技術はハンバーグも包装できるとしているが、袋体は縦長の三角形状に成形したものであり、三角形状のサンドイッチなどには適しても円盤状のハンバーグには適さないものであり、カットテープは幅狭のものであるから袋体を左右に大きく開かないと収納されている食べ物を取り出しづらく、そしてこの包装袋では中身を取り出してからでないと食べることができないという手間のかかる欠点がある。【０００５】  本考案はこのような従来技術の不利を解消するべく創案したものであり、開封が簡単なことは勿論、食べるときに手間がかからず衛生的に取り扱うことのできるハンバーグ用包装紙を提供することを目的としている。
【課題を解決するための手段】
【０００６】  前記目的を達成するために本考案は、紙材にハンバーグを載せ、包装後紙材に貼付した蓋紙を剥がすと開口部にハンバーグが現われるためそのまま食べられる構成とした包装紙であって、紙材の前後部及び左右を折り畳むとハンバーグが包み込まれ、前記蓋紙は紙材の中央に位置して紙材の開口部よりも周縁部が大形であって周縁部個所に蓋紙を剥離可能とした粘着剤が塗工され、一端部をつまむと蓋紙を紙材より剥がすことができることを特徴とするハンバーグ用包装紙を主旨としたものである。
【考案の効果】
【０００７】  ハンバーグは従来から市販されているものと同じような要領で包装することができるので包装作業は頗る容易であるが、食べる時には包装を解く必要がなく、蓋紙を剥がすとその個所が開口部となってハンバーグが現われる。したがって包装のまま両手はもちろん片手でも難なくハンバーグを口に入れることができ、食べやすさは従来に比べ格段に向上する。【０００８】  包装紙を掴んだまま食べるためハンバーグに手が触れることはなく、たとえ手が汚れていても非衛生となることはない。またハンバーグ特有の食材による油分の付着する恐れもないため感触が悪くなったり、付着物を落とすための手の洗浄などは不要であり、更に蓋紙はいわば紙材の一部に過ぎないのでさほど材料費もかからず安価量産に好適し、不用となったときは包装紙を従来同様そのまま処分できるという実益がある。
【図面の簡単な説明】
【０００９】
【図１】（ａ）は紙材にハンバーグを載せた説明図、（ｂ）はその裏面図である。
【図２】ハンバーグが包み込まれる要領を示す説明図である。
【図３】（ａ）は紙材の前後部でハンバーグを包み込んだ説明図、（ｂ）はその裏面図である。
【図４】（ａ）は図３に示した折曲部より紙材の左右を折り畳んだ説明図であり、（ｂ）はその裏面図である。
【図５】（ａ）は図４に示した縦の折曲部より紙材左右を裏側に折り畳んだ説明図であり、（ｂ）はその裏面図である。
【図６】包装後のハンバーグを掴んだ概略図である。
【考案を実施するための形態】
【００１０】  図面に基づき本考案を説明すると、図１は広げた紙材１にハンバーグ１０を載せた形態を示したもので、長方形状の紙材１は従来店頭で販売されるハンバーグの包装紙と特に変わることはないが、その長手方向中央部に、後部を半円形状にした長めの開口部２を形成してあり、裏側に開口部２を覆う蓋紙３が貼付されている。蓋紙３は開口部２よりも全体が大形であって周縁部４には剥離可能な粘着剤（不図示）が塗工され、蓋紙３は一端部を掴むと容易に開口部２から引き剥がすことができる。なお符号Ｃは折曲部であって、紙材１には複数箇所に折曲部Ｃが設けられているが、煩雑さを避けるために図面上一部のものを省略してある。
【００１１】  紙材１の折曲部Ｃから前端部１ａと後端部１ｂを夫々内方に折り畳むと、図２のようにハンバーグ１０は紙材１により覆われ、前端部１ａが後端部１ｂの内側に介入し後端部１ｂが前端部１ａの上面に密接する（図３参照）が、この段階では未だ左右は包装されていない。そこで図示のような斜めの折曲部Ｃに沿って紙材１の左右を夫々内方に折り曲げると、図４のように三角形状の折曲片Ｅが左右に各２ヶ所づつ形成される。
【００１２】  更に図４の状態より縦の折曲部Ｃに沿って折曲片Ｅを裏側に向けて折り曲げると、図５のようにハンバーグ１０は全体が紙材１によって包装され収納完了となるので、図６のように片手でハンバーグ入り紙材１を掴むと他方の手で蓋紙３を取り外すことができる。
【００１３】  蓋紙３を剥がしやすくするために、図示のような小片５を端部に設けたり、蓋紙３の一部にコーナーカット部（不図示）を設けることも一法であり、また蓋紙３を見やすくしたり興趣をそそることができるように模様状のものを印刷することも効果的である。
【００１４】  本考案は以上のような形態としたものであり、従来市販のハンバーグの包装紙と全体形状はかけ離れたものではないが、中央部に蓋紙３を取付けたことを最大の特徴としている。そしてこの蓋紙３を容易に剥離可能とするため周縁部４を紙材１に糊付けしてあるが、この糊材は紙材同士を接離可能にする素材である従来周知の糊着剤を使用すればよい。なお本考案はハンバーグ用包装紙として述べたが、ハンバーグと同形状のおにぎりなどの包装にも妥当するものであり更に紙材１の材料、蓋紙３の形状・剥離手段等本考案の目的効果を奏する範囲における変更事項も本考案の実施の範疇に属する。
【符号の説明】
【００１５】１    紙材
２    開口部
３    蓋紙
４    周縁部
１０  ハンバーグ
【図１】
0003179100.tif 000003
【図２】
0003179100.tif 000004
【図３】
0003179100.tif 000005
【図４】
0003179100.tif 000006
【図５】
0003179100.tif 000007
【図６】
0003179100.tif 000008